(57)【要約】【課題】車両使用者にセンサ位置を分かり易く伝えることで車両使用者の操作で車両ドアを容易に開閉させることが可能な車両用ドア開閉装置を提供する。【解決手段】車両用ドア開閉装置１は、車両周囲の路面上に形状認識を実施する位置を表す表示Ｖを投影する路面投影装置１０と、路面投影装置１０により投影された表示Ｖを含む所定路面範囲Ｓに進入しているものの形状を認識する形状認識装置２０と、形状認識装置２０により認識された所定路面範囲Ｓに進入しているものの形状が人の足部の形状である場合に、車両ドア４を開駆動又は閉駆動させる制御装置４０と、を備える。【選択図】図３
2019173508.tif 000002
【特許請求の範囲】
【請求項１】
車両周囲の路面上に形状認識を実施する位置を表す表示を投影する路面投影部と、
前記路面投影部により投影された前記表示を含む所定路面範囲に進入しているものの形状を認識する形状認識部と、
前記形状認識部により認識された前記所定路面範囲に進入しているものの形状が人の足部の形状である場合に、車両ドアを開駆動又は閉駆動させるドア制御部と、
を備える、車両用ドア開閉装置。
【請求項２】
前記路面投影部は、車両の使用者が車両に接近状態にあるタイミングで前記路面上に前記表示を投影する、請求項１に記載の車両用ドア開閉装置。
【請求項３】
車両に対する前記使用者の位置を検出する位置検出部と、
前記位置検出部により検出された前記使用者の位置に応じて、前記路面投影部により前記表示が投影される前記路面上の投影位置を変更する投影位置変更部と、
を備える、請求項２に記載の車両用ドア開閉装置。
【請求項４】
前記投影位置変更部は、前記位置検出部により位置が検出された前記使用者と車両との間の前記路面上に前記投影位置を設定する、請求項３に記載の車両用ドア開閉装置。
【請求項５】
前記路面投影部は、昼間視認性の良い色相の光により前記表示を前記路面上に投影する、請求項１乃至４の何れか一項に記載の車両用ドア開閉装置。
【請求項６】
前記ドア制御部は、前記形状認識部により認識された前記所定路面範囲に進入しているものの形状が予め定められた人の履く靴の形状である場合に、前記車両ドアを開駆動又は閉駆動させる、請求項１乃至５の何れか一項に記載の車両用ドア開閉装置。
【発明の詳細な説明】
【技術分野】
【０００１】
本発明は、車両ドアを自動的に開閉する車両用ドア開閉装置に関する。
【背景技術】
【０００２】
従来、車両のバックドアなどを開駆動又は閉駆動させる車両用ドア開閉装置が知られている（例えば、特許文献１）。この車両用ドア開閉装置は、車両に接近した使用者を検知する静電センサを備えている。静電センサは、センサ電極を含み、センサ電極の静電容量変化又はセンサ電極間に生じる電場の変化を検知するセンサである。この静電センサは、リアバンパなどに設置された下段センサと、下段センサよりも上方に設置された上段センサと、を有している。下段センサは、少なくとも二つのセンサ部からなり、車両使用者の足部を検知する。また、上段センサは、車両使用者の足部以外の身体を検知する。
【０００３】
上記の車両用ドア開閉装置においては、下段センサの一つのセンサ部の検知信号と上段センサの検知信号とが入力される場合に、車両ドアが開駆動又は閉駆動される。一方、下段センサの二つのセンサ部それぞれの検知信号が入力される場合に、車両ドアが駆動されず又は停止される。このため、小動物や物体等の検知に基づく車両ドア開閉の誤駆動を防止することができる。
【先行技術文献】
【特許文献】
【０００４】
【特許文献１】特開２０１５−０２１２３８号公報
【発明の概要】
【発明が解決しようとする課題】
【０００５】
しかしながら、上記の車両用ドア開閉装置では、静電センサが発生する電場の範囲すなわち静電センサの位置が、車両に接近した使用者に認識され難い。このため、車両使用者は、車両ドアを開閉させるのに、リアバンパの近くで足を振るなどの特殊な動作を行うことが必要となり、車両ドアを容易に開閉させることができないおそれがある。
【０００６】
本発明は、このような点に鑑みてなされたものであり、車両使用者にセンサ位置を分かり易く伝えることで車両使用者の操作で車両ドアを容易に開閉させることが可能な車両用ドア開閉装置を提供することを目的とする。
【課題を解決するための手段】
【０００７】
本発明は、車両周囲の路面上に形状認識を実施する位置を表す表示を投影する路面投影部と、前記路面投影部により投影された前記表示を含む所定路面範囲に進入しているものの形状を認識する形状認識部と、前記形状認識部により認識された前記所定路面範囲に進入しているものの形状が人の足部の形状である場合に、車両ドアを開駆動又は閉駆動させるドア制御部と、を備える、車両用ドア開閉装置である。
【０００８】
この構成によれば、路面投影部により車両周囲の路面上に形状認識を実施する位置を表す表示が投影され、形状認識部によりその投影された表示を含む所定路面範囲に進入しているものの形状が認識される。そして、その形状が人の足部の形状である場合に、車両ドアが開駆動又は閉駆動される。すなわち、車両使用者は、車両周囲の路面上に投影された形状認識を実施する位置を表す表示を視認して、その表示を含む所定路面範囲に足部を進入させれば、車両ドアを開駆動又は閉駆動させることができる。車両周囲の路面上に表示が投影されれば、車両ドアを開閉させるための形状認識を実施する位置を車両使用者に分かり易く伝えることができる。そして、車両ドアを開閉させるうえでは、車両使用者が路面上の表示を視認して足をその表示を含む所定路面範囲に置くことで足部を車両用ドア開閉装置側に形状認識させれば十分である。従って、本発明によれば、車両使用者に形状認識を実施する位置を分かり易く伝えることで車両使用者の操作で車両ドアを容易に開閉させることができる。
【図面の簡単な説明】
【０００９】
【図１】本発明の一実施形態に係る車両用ドア開閉装置の構成図である。
【図２】実施形態の車両用ドア開閉装置が備える路面投影装置が路面上に投影する表示の一例を表した模式図である。
【図３】実施形態の車両用ドア開閉装置が備える形状認識装置の有するカメラにより撮影された映像情報の一例を表した模式図である。
【図４】実施形態の車両用ドア開閉装置において実行される制御ルーチンの一例のフローチャートである。
【図５】実施形態の車両用ドア開閉装置によるドア開時の状態を表した模式図である。
【図６】本発明の一変形形態に係る車両用ドア開閉装置の要部の構成図である。
【発明を実施するための形態】
【００１０】
以下、本発明に係る車両用ドア開閉装置の具体的な実施形態及び変形形態について、図面を用いて説明する。
【００１１】
本施形態の車両用ドア開閉装置１は、図１及び図２に示す如く、車両２に搭載されており、その車両２の使用者３が車両２に乗車する場合などにその車両２の車両ドア４を自動的に開閉（具体的には、開放）する装置である。尚、車両ドア４は、車両２の何れのドアであってもよいが、以下では、バックドアであるものとする。車両用ドア開閉装置１は、図１に示す如く、路面投影装置１０と、形状認識装置２０と、ＩＤ照合装置３０と、制御装置４０と、ドア駆動装置６０と、を備えている。
【００１２】
路面投影装置１０は、車両２の周囲（具体的には後方）の路面上に表示Ｖを投影する装置である。路面投影装置１０は、車両２のバックドア４の外面の略中央（例えば、バックドアハンドルやナンバープレートを収容する凹み部分の上壁など）にブラケットなどを介して取り付けられている。尚、路面投影装置１０は、開閉するバックドア４にブラケットなどを介して取り付けられていることに限らず、車両２の車体に固定される後部バンパなどに取り付けられていてもよい。路面投影装置１０は、投影部１１と、機構部１２と、を有している。
【００１３】
投影部１１は、例えばレーザや集光したＬＥＤなどの人が視認可能な光を照射する部位である。投影部１１は、光を車両２の後端から所定距離（例えば、５０ｃｍ〜３ｍ）後方の路面上に照射することが可能である。投影部１１は、その路面上に照射した光により所定平面形状の表示Ｖを投影する。投影部１１が投影する表示Ｖは、昼間でも視認可能な高い照度を有する表示である。また、表示の一部分又は全部分は、昼間に視認性が良い色相（例えば緑色）を有し、更に、この色相は路面の色と対比可能な色であることが望ましい。また、投影部１１が投影する表示Ｖは、夜間でも眩しさ感じさせずに視認可能な適切な照度を有する表示である。尚、投影部１１は、時間帯や天候，照明等による周囲の明るさの変化に応じて、上述のように表示の照度や色相を切り替えるものであってもよい。更に、路面上に投影された表示Ｖは、視認性や誘目性の向上などのために、点滅されるものであってもよい。
【００１４】
尚、この所定平面形状の表示Ｖは、後述する形状認識を実施する位置（以下、センサ位置と称す。）を表す表示であればよく、例えば図２に示す如く人の足裏を模した形状又は車両２の外観を模した形状を含むものであってよい。この場合、この表示Ｖは、その人の足裏や車両２の外観などを模した形状以外に、センサ位置を表す領域を他の領域と区別するためにその足裏を模した形状の周辺を囲むように円形や楕円形などの形状を含むものであってよい。また、表示Ｖは、影絵などにより光と影との対比によって形成されるものであってよい。
【００１５】
機構部１２は、投影部１１が照射する光の光軸の向きを変更する部位である。機構部１２は、上記の投影部１１に近接して配置されている。機構部１２は、モータなどのアクチュエータを用いて投影部１１を左右上下に自在に動かすことで、投影部１１が光を照射して表示Ｖが投影される路面上の位置（すなわち、投影位置）を変更することが可能である。
【００１６】
形状認識装置２０は、路面投影装置１０により投影された路面上の表示Ｖを含む所定路面範囲Ｓに進入しているものの形状を認識する装置である。形状認識装置２０は、カメラ２１と、認識部２２と、を有している。カメラ２１は、車両２のバックドア４の外面の略中央（例えば、バックドアハンドルやナンバープレートの凹み部分）にブラケットなどを介して取り付けられており、上記の投影部１１に近接して配置されている。カメラ２１は、投影部１１から照射された光による路面上の表示Ｖを撮影することが可能である。
【００１７】
尚、カメラ２１の撮影領域は、形状認識対象の所定路面範囲Ｓに一致していてがよいが、その所定路面範囲Ｓよりも広範囲であってよい。カメラ２１の撮影領域が形状認識対象の所定路面範囲Ｓよりも広範囲であるときは、形状認識対象となる映像情報は、カメラ２１の撮影した全映像情報のうちの一部に限定される。また、形状認識対象となる所定路面範囲Ｓは、その表示Ｖの全部を含むものであればよく、その表示Ｖ以外の領域を含んでいてもよい。尚、カメラ２１は、例えばＴｏＦ（＝Time-of-Flight）型のカメラであってよい。
【００１８】
認識部２２は、図３に示す如く、カメラ２１の撮影した映像情報に基づいて、所定路面範囲Ｓに進入しているものの形状を認識する。認識部２２は、形状認識の対象となる人の足部の形状情報を予め記憶している。この形状情報が記憶される足部は、人の足部の特に先端を含むものであり、例えば人の履く靴である。尚、この記憶される足部の形状は、使用者３固有の足部３ａの先端の形状であることが好ましく、更には、人の着る服により隠れる可能性の低い靴の先端の形状を含むことが好ましい。また、記憶される足部の形状は、車両２に対する向きを含むものであってよく、人が車両２のバックドア４に対面しているすなわち車両２の前方側へ向いている状態で爪先が向くときの形状であってよい。
【００１９】
認識部２２は、カメラ２１の映像情報に対して例えばテンプレートマッチングなどを行うことで、所定路面範囲Ｓに進入しているものの形状が人の足部３ａの形状であるか否かを判別する。尚、この認識部２２による形状判別は、人の足部３ａの形状が所定時間（例えば、１秒や２秒など）継続して固定された状態で認識される場合に肯定されるものであればよい。
【００２０】
ＩＤ照合装置３０は、車両２の使用者３のＩＤ認証を行う装置である。このＩＤ認証は、使用者３が車両２に乗車する若しくはラッゲージに荷物を載せる際にバックドア４を自動的に開放するために行われる。より具体的には、このＩＤ認証は、上記した路面投影装置１０による路面上への表示投影を実施させるために行われる。ＩＤ照合装置３０は、車両２に搭載される車載機である。ＩＤ照合装置３０は、通信部３１と、認証部３２と、を有している。
【００２１】
通信部３１は、バックドア４から所定距離範囲（例えば、１ｍ〜３ｍ）内に存在する使用者３の携帯するＩＤキー５０と通信を行う部位である。通信部３１は、所定時間間隔でＩＤキー５０の応答を要求するリクエスト信号を送信する。ＩＤキー５０は、通信部と、制御部と、を有している。ＩＤキー５０の通信部は、ＩＤ照合装置３０の通信部３１と通信することが可能である。ＩＤキー５０の通信部は、通信部３１から送信されるリクエスト信号を受信することが可能である。ＩＤキー５０の制御部は、通信部でＩＤ照合装置３０からのリクエスト信号が受信された場合、そのリクエスト信号に応答するレスポンス信号を通信部から送信させる。通信部３１は、リクエスト信号の送信後にＩＤキー５０からのレスポンス信号を受信することが可能である。
【００２２】
通信部３１は、認証部３２に接続されている。通信部３１での通信結果は、認証部３２に供給される。認証部３２は、通信部３１での通信結果に基づいて、ＩＤキー５０とのＩＤ認証を行う。ＩＤ照合装置３０は、制御装置４０に接続されている。認証部３２は、ＩＤキー５０とのＩＤ認証が照合ＯＫである場合に、そのＩＤ認証が照合ＯＫである旨を制御装置４０に通知する。
【００２３】
制御装置４０は、バックドア４を開閉駆動させるための各種制御を実行する装置である。制御装置４０は、演算部やメモリなどを有するマイクロコンピュータからなる。制御装置４０は、車両２のフロアなどに設置されている。制御装置４０は、照射制御部４１と、駆動制御部４２と、を有している。
【００２４】
照射制御部４１は、路面投影装置１０による路面上への表示投影を制御する部位である。制御装置４０は、路面投影装置１０に接続されている。照射制御部４１は、ＩＤ照合装置３０からＩＤ認証が照合ＯＫである旨が通知された場合に、路面投影装置１０に対して路面上への表示投影を実施するように指令する。路面投影装置１０は、照射制御部４１からの指令に従って、路面上への表示投影を実施する。
【００２５】
制御装置４０は、形状認識装置２０に接続されている。形状認識装置２０は、認識部２２にて所定路面範囲Ｓに進入しているものの形状が人の足部の形状であると判別した場合に、その形状認識の情報を制御装置４０に供給する。駆動制御部４２は、バックドア４を開閉駆動させる部位である。尚、バックドア４の開閉駆動には、車体に設けられた回転軸を中心にしたバックドア４の開閉と共に、そのバックドア４の開錠及び閉錠が含まれてよい。制御装置４０は、ドア駆動装置６０に接続されている。駆動制御部４２は、形状認識装置２０から所定路面範囲Ｓに進入しているものの形状が人の足部の形状であることの形状認識の情報が供給された場合に、ドア駆動装置６０に対してバックドア４を開閉するように指令する。
【００２６】
ドア駆動装置６０は、バックドア４を開閉駆動する装置である。ドア駆動装置６０は、バックドア４を開閉駆動するモータなどのアクチュエータを有している。ドア駆動装置６０は、駆動制御部４２からの指令に従ってアクチュエータを動作させて、バックドア４を開閉駆動する。
【００２７】
次に、図４及び図５を参照して、車両用ドア開閉装置１の動作について説明する。
車両用ドア開閉装置１においては、バックドア４が閉じられている場合、ＩＤ照合装置３０の通信部３１からバックドア４後方の所定距離範囲内にリクエスト信号が送信される（ステップＳ１００）。認証部３２は、リクエスト信号の送信ごとに、ＩＤキー５０からのレスポンス信号が受信されかつそのレスポンス信号に基づくＩＤキー５０とのＩＤ認証が照合ＯＫであるか否かを判別する（図４に示すステップＳ１１０）。
【００２８】
車両２の使用者３は、車両２に乗車する若しくはラッゲージに荷物を載せる場合、ＩＤキー５０を携帯してバックドア４に接近する。リクエスト信号の送信範囲内（すなわち、所定距離範囲内）に使用者３の携帯するＩＤキー５０が存在しない場合は、車両用ドア開閉装置１にＩＤキー５０からのレスポンス信号が供給されないので、車両用ドア開閉装置１は以後何ら制御処理を実行しない。
【００２９】
一方、リクエスト信号の送信範囲内に使用者３の携帯するＩＤキー５０が存在する場合は、そのＩＤキー５０がそのリクエスト信号に応答するレスポンス信号を車両用ドア開閉装置１に向けて送信する。認証部３２は、リクエスト信号の送信後に通信部３１にてＩＤキー５０からのレスポンス信号が受信されると、そのレスポンス信号に基づいてそのＩＤキー５０とのＩＤ認証を行い、そのＩＤ認証が照合ＯＫである場合に、照合ＯＫの旨を制御装置４０に通知する。
【００３０】
制御装置４０の照射制御部４１は、ＩＤ照合装置３０からＩＤ認証が照合ＯＫである旨が通知されると、路面投影装置１０に対して路面上への表示投影を実施するように指令する。路面投影装置１０の投影部１１は、照射制御部４１から表示投影の指令がなされると、車両２の後端から所定距離後方の路面上に光を照射することにより、その路面上に所定平面形状の表示Ｖを投影する（ステップＳ１２０）。尚、この投影部１１による表示Ｖの投影は、ＩＤ照合装置３０によるＩＤ認証が照合ＯＫである状態が続く限り継続されてよく、或いは、その投影開始後に一定時間が経過するまで継続されてよい。また、その投影は、ＩＤ照合装置３０によるＩＤ認証が照合ＮＧとなった場合、その投影開始後に一定時間が経過した場合、又はバックドア４が開放された場合に停止されてよい。
【００３１】
車両２の使用者３は、車両２に接近して路面投影装置１０により上記の如く路面上に投影された表示Ｖを視認すると、バックドア４を開放させることを希望するときは、その表示Ｖが投影された路面に足を置く。形状認識装置２０は、路面投影装置１０により路面上に表示Ｖが投影されている状態で、カメラ２１を用いてその表示Ｖを含む所定路面範囲Ｓに進入しているものの形状を認識し、その形状が人の足部３ａの先端形状であるか否かを判別する（ステップＳ１３０）。
【００３２】
形状認識装置２０の認識部２２は、所定路面範囲Ｓに進入しているものの形状が人の足部３ａの先端形状であると判別した場合に、その形状認識の情報を制御装置４０の駆動制御部４２に対して供給する。駆動制御部４２は、形状認識装置２０からの情報が人の足部３ａの先端形状を示すものに合致する場合に、ドア駆動装置６０に対してバックドア４を開放するように指令する。ドア駆動装置６０は、駆動制御部４２からドア開放指令を受けると、アクチュエータを開動作させて、バックドア４を開駆動する（ステップＳ１４０）。
【００３３】
このように、車両用ドア開閉装置１においては、車両２の使用者３が車両２のバックドア４に接近した状態にあるタイミングで、路面投影装置１０から車両２の後方の路面上に所定平面形状の表示Ｖが投影され、そして、その表示Ｖが投影された路面に使用者３が足を置くことによって形状認識装置２０に使用者３の足部３ａの形状が認識された場合に、バックドア４が開駆動される。すなわち、車両２の使用者３は、車両２周囲の路面上に投影された表示Ｖを視認して、その表示Ｖを含む所定路面範囲Ｓに足を置けば、バックドア４を開駆動させることができる。路面上に投影される表示Ｖは、バックドア４を開駆動させるためのセンサ位置すなわち形状認識を実施する位置を表している。
【００３４】
このため、車両用ドア開閉装置１によれば、バックドア４を開駆動させるためのセンサ位置を使用者３に路面投影装置１０を用いて視覚を通じて伝えることができる。また、バックドア４を開駆動させるうえでは、使用者３が路面上の表示Ｖを視認して足をその表示Ｖを含む所定路面範囲Ｓに置くことでその足部３ａを車両用ドア開閉装置１側に認識させれば十分である。
【００３５】
従って、車両用ドア開閉装置１によれば、車両２の使用者３にセンサ位置を分かり易く伝えることができる。そして、使用者３がバックドア４を開放させるうえでの操作上の慣れなどを不要として、使用者３によるバックドア４の開操作の利便性を向上させることができるので、バックドア４を容易に開放させることができる。また、使用者３はバックドア４を開放させるうえで足を表示Ｖを含む所定路面範囲Ｓに置けばよいので、例えばバックドア４を開放させるために静電センサなどを用いる構成と異なり、片足をその静電センサが設置された車体の近傍に近接させることを不要とすることができ、姿勢的に安定した所作でかつスマートにバックドア４の開操作を行うことができる。
【００３６】
また、バックドア４を開放させるうえでは、形状認識装置２０に車体後方の所定路面範囲Ｓで人の足部３ａの先端形状を認識させることが必要である。すなわち、上記の所定路面範囲Ｓに人以外の固定物や近接物或いは水溜りなどがあっても、人の足がその所定路面範囲Ｓに進入していないときは、バックドア４の開放は実施されない。このため、人以外の固定物や近接物などに起因してバックドア４が誤って開放されるのを防止することができる。
【００３７】
また、車両２の使用者３にセンサ位置を知らせるうえで路面投影装置１０の投影部１１が投影する表示Ｖは、高い照度と昼間視認性の良い色相を含む表示である。このため、昼間であっても使用者３に投影部１１による表示Ｖを視認させ易くすることができる。また、投影部１１が投影する表示Ｖは、夜間でも眩しさを感じさせずに視認可能な適切な照度を有する表示である。このため、夜間であっても使用者３に投影部１１による表示Ｖを視認させ易くすることができる。従って、使用者３によるバックドア４の開操作の利便性低下を防ぐことができる。
【００３８】
尚、上記の実施形態においては、路面投影装置１０が特許請求の範囲に記載した「路面投影部」に、形状認識装置２０が特許請求の範囲に記載した「形状認識部」に、制御装置４０の駆動制御部４２が特許請求の範囲に記載した「ドア制御部」に、それぞれ相当している。
【００３９】
ところで、上記の実施形態においては、所定路面範囲Ｓに進入するものの形状を認識するのにカメラ２１を用いることとしているが、このカメラ２１として、車両２の後退時に映像が車内モニタに表示されるバックカメラを兼用することとしてもよい。この変形形態の構成によれば、所定路面範囲Ｓに進入するものの形状を認識する専用のカメラを設けることは不要であるので、簡素な構成で安価に形状認識に基づくバックドア４の開駆動を実現することができる。
【００４０】
また、上記の実施形態においては、路面投影装置１０の投影部１１及び形状認識装置２０のカメラ２１それぞれが、開閉するバックドア４に取り付けられており、車両用ドア開閉装置１がそのバックドア４を自動的に開放する装置である。しかし、本発明はこれに限定されるものではない。投影部１１及びカメラ２１それぞれが図６に示す如く車両２の車体側（例えば、バンパなど）に固定され、車両用ドア開閉装置１がバックドア４を自動的に開放するだけでなく、使用者３が車両２から降車した若しくはラッゲージから荷物を降ろした際などにバックドア４を自動的に閉じる装置に適用することとしてもよい。
【００４１】
また、上記の実施形態においては、投影部１１が、車両２の後端から所定距離後方の路面上に所定平面形状の表示Ｖを投影する。仮に、この表示投影が車両２の後端に対して予め固定された後方位置の路面上に行われるものとすると、その路面上の位置に固定物や近接物があった場合に、使用者３の足部の形状認識が困難となるおそれがある。そこで、ＩＤ照合装置３０によるＩＤ認証の照合ＯＫ後に路面投影装置１０の投影部１１から所定平面形状の表示Ｖが投影される路面上の投影位置を、車両２に対する使用者３の位置に応じて変更することとしてもよい。
【００４２】
例えば、ＩＤ照合装置３０によるＩＤ認証の照合ＯＫ後、カメラ２１の光軸の向きを変更し又はズーム倍率を広角側に変更して撮影領域を広げ、その映像情報からの形状認識結果に基づいて車両２の後方に存在する使用者３の位置を検出する。そして、使用者３の位置が検出された場合に、その位置が所定路面範囲Ｓに含まれるようにカメラ２１の光軸及びズーム倍率を固定したうえで、その使用者３の位置に応じて、投影部１１から所定平面形状の表示Ｖが投影される路面上の投影位置を変更する。尚、この投影位置の変更は、車両２と使用者３との間（具体的には、使用者３の直前）の路面上に表示Ｖが投影されるように機構部１２を用いて投影部１１の光軸の向きを変更するものであればよい。
【００４３】
この変形形態によれば、使用者３が存在する位置に合わせて投影部１１から投影される表示Ｖの位置が変更されるので、路面上に固定物や近接物或いは水溜りなどがあっても使用者３の足部３ａの形状認識を実施し易くすることができると共に、使用者３にバックドア４を開放させるうえでの操作の利便性を向上させることができる。尚、この変形形態においては、形状認識装置２０がカメラ２１の映像情報からの形状認識結果に基づいて車両２の後方に存在する使用者３の位置を検出することが特許請求の範囲に記載した「位置検出部」に、照射制御部４１が路面投影装置１０の機構部１２を用いて投影部１１の光軸の向きを変更することが特許請求の範囲に記載した「投影位置変更部」に、それぞれ相当する。
【００４４】
更に、上記の実施形態においては、車両用ドア開閉装置１が開閉する車両２のドアがバックドア４であるものとしている。しかし、本発明はこれに限定されるものではなく、車両用ドア開閉装置１が開閉する車両２のドアとして、後席用のスライドドアやフロントドアなどに適用することとしてもよい。
【００４５】
尚、本発明は、上述した実施形態や変形形態に限定されるものではなく、本発明の趣旨を逸脱しない範囲で種々の変更を施すことが可能である。
【符号の説明】
【００４６】
１：車両用ドア開閉装置、２：車両、３：使用者、４：車両ドア（バックドア）、１０：路面投影装置、１１：投影部、１２：機構部、２０：形状認識装置、２１：カメラ、２２：認識部、３０：ＩＤ照合装置、４０：制御装置、４１：照射制御部、４２：駆動制御部、５０：ＩＤキー、６０：ドア駆動装置。
【図１】
2019173508.tif 000003
【図２】
2019173508.tif 000004
【図３】
2019173508.tif 000005
【図４】
2019173508.tif 000006
【図５】
2019173508.tif 000007
【図６】
2019173508.tif 000008